(57)【特許請求の範囲】
【請求項１】
基材シートの片面を印字面とする一方、他方の面に疑似接着剤層と接着剤層とが順次積層された接着シートであって、前記接着剤層に非接着処理部が部分的に設けられ、
前記非接着処理部は着色されており、当該非接着処理部は、前記疑似接着剤層で基材シートを剥離したときに、被着面側を読解不能に保つことを特徴する接着シート。
【請求項２】
基材シートの片面を印字面とする一方、他方の面に疑似接着剤層と接着剤層とが順次積層された接着シートであって、前記接着剤層に非接着処理部が部分的に設けられ、
前記基材シートの一部剥離を許容するために基材シート側から疑似接着面を越える深さの切り込みが形成され、当該切り込みの下方における接着剤層には、前記非接着処理部が存在しないストリートが設けられていることを特徴とする接着シート。
【請求項３】
基材シートの片面を印字面とする一方、他方の面に疑似接着剤層と接着剤層とが順次積層された接着シートであって、前記接着剤層に非接着処理部が部分的に設けられ、
前記非接着処理部は鏡文字を施すことによって形成され、前記接着剤層を透過して視認可能に設けられていることを特徴とする接着シート。
【請求項４】
基材シートの片面を印字面とする一方、他方の面に疑似接着剤層と接着剤層とが順次積層された接着シートであって、前記接着剤層に非接着処理部が部分的に設けられ、
前記非接着処理部を介在して接着剤層と被着面との間に介装可能な情報シートを更に含み、当該情報シートは、秘匿情報が印字されることを特徴とする接着シート。
【請求項５】
基材シートの片面を印字面とする一方、他方の面に疑似接着剤層と接着剤層とが順次積層された接着シートと、当該接着シートと被着面との間に介装可能な情報シートとを含む配送伝票であって、
前記接着剤層に非接着処理部が部分的に設けられ、当該非接着処理部を介して前記情報シートが介装可能に設けられていることを特徴とする配送伝票。
【発明の詳細な説明】
【技術分野】
【０００１】
本発明は接着シート及び配送伝票に係り、特に、配送伝票に適用することのできる接着シート及び配送伝票に関する。
【背景技術】
【０００２】
近時、インターネットやテレビショッピング等の普遍的な拡大に伴い、従来の店頭販売に加えて通信販売が普及するに至り、配送業者が販売者に代わって商品を消費者に届ける流通形態が多く見られるようになっている。そのため、配送伝票を通じて商品に関する情報、例えば、商品名、商品価格等が漏洩し得ることとなる。これらの情報は、消費者が購入した商品が何であるかを特定するため、消費者のプライバシーに大きく関わる秘匿情報であるとともに、商品価格は、商品価値を把握できるため、流通過程における盗難防止を図る観点からも秘匿情報といえる。
【０００３】
特許文献１には配送票が開示されている。同配送票は、表面側に配送情報記入部を備え、裏面側に剥離可能な透視層と、接着剤層とが設けられた構成となっている。
【特許文献１】特開平８−２０７４７０号公報
【発明の開示】
【発明が解決しようとする課題】
【０００４】
しかしながら、特許文献１に開示された配送票にあっては、単に、配送票の裏面全域に接着剤層が設けられた構成であり、秘匿情報が記入された情報シートを被着体との間に挟んだ後に当該情報シートを取り出そうとすると、接着剤が全面に接着しているため情報シートが破れてしまってスムーズに取り出すことができない、という不都合がある。また、配送票を剥離したときに、配達人に下方の文字が見えて秘匿したい情報が漏洩してしまう等の不都合がある。更に、印字は、配送票の表面すなわち配送情報記入部のみであり、その他の情報記入を行うことのできる領域も存在しない。
【０００５】
［発明の目的］
本発明は、このような不都合に着目して案出されたものであり、その目的は、例えば、配送伝票等に適用したときに、秘匿情報が記入された情報シートを被着体との間に挟んで当該情報シートをスムーズに取り出すことができる接着シートを提供することにある。
また、本発明の他の目的は、配送伝票等に適用して一部が剥離可能に設けられている場合において、当該一部を剥離したときに、被着面側の隠蔽、或いは、被着面側の読解を不能とすることのできる接着シート及び配送伝票を提供することにある。
更に、本発明の目的は、より多くの情報を表示することのできる接着シート及び配送伝票を提供することにある。
【課題を解決するための手段】
【０００６】
前記目的を達成するため、本発明は、基材シートの片面を印字面とする一方、他方の面に疑似接着剤層と接着剤層とが順次積層された接着シートであって、前記接着剤層に非接着処理部が部分的に設けられ、前記非接着処理部は着色されており、当該非接着処理部は、前記疑似接着剤層で基材シートを剥離したときに、被着面側を読解不能に保つ、という構成を採っている。
【０００８】
また、本発明は、基材シートの片面を印字面とする一方、他方の面に疑似接着剤層と接着剤層とが順次積層された接着シートであって、前記接着剤層に非接着処理部が部分的に設けられ、前記基材シートの一部剥離を許容するために基材シート側から疑似接着面を越える深さの切り込みが形成され、当該切り込みの下方における接着剤層には、前記非接着処理部が存在しないストリートが設けられる、という構成を採っている。
【０００９】
更に、本発明は、基材シートの片面を印字面とする一方、他方の面に疑似接着剤層と接着剤層とが順次積層された接着シートであって、前記接着剤層に非接着処理部が部分的に設けられ、前記非接着処理部は鏡文字を施すことによって形成され、前記疑似接着剤層で基材シートが剥離されたときに、前記接着剤層を透過して視認可能に設けることもできる。
【００１０】
また、本発明は、基材シートの片面を印字面とする一方、他方の面に疑似接着剤層と接着剤層とが順次積層された接着シートであって、前記接着剤層に非接着処理部が部分的に設けられ、前記非接着処理部を介在して接着剤層と被着面との間に介装可能な情報シートを更に含み、当該情報シートは、秘匿情報が印字される、という構成を採っている。
【００１２】
また、本発明は、基材シートの片面を印字面とする一方、他方の面に疑似接着剤層と接着剤層とが順次積層された接着シートと、当該接着シートと被着面との間に介装可能な情報シートとを含む配送伝票であって、前記接着剤層に非接着処理部が部分的に設けられ、当該非接着処理部を介して前記情報シートが介装可能に設けられる、という構成を採っている。
【００１３】
本発明における疑似接着剤層は、複数、例えば、二層の積層フイルムによって構成され、それらの界面、すなわち、疑似接着面で剥離可能に設けることができる。疑似接着形成層に用いるフイルムとしては、例えば、ポリエチレン樹脂、ポリスチレン樹脂、アクリル樹脂、天然ゴム系樹脂、塩化ビニル−酢酸ビニル共重合体、エチレン−酢酸ビニル共重合体、紫外線硬化ニス、ポリエチレンテレフタレート樹脂等を例示することができ、それらを任意に組合せた積層フイルムを疑似接着剤層とすることができる。
また、本明細書において、「印字」は、文字、記号、図形又はこれらの任意の組合せを含む概念として用いられる。また、「透明」は、半透明をも含む概念である。
【発明の効果】
【００１４】
本発明によれば、接着剤層に部分的な非接着処理部が設けられているため、接着剤層全面が被着面に接着しない部分的な接着となる。従って、接着シートが配送伝票として適用されたときに、当該配送伝票を配送物から剥離しやすくなる。また、非接着処理部を介在して接着剤層と被着面との間に、情報シート等を挟み込んだ場合には、当該情報シートを破れることなくスムーズに取り出すこともできる。
また、非接着処理部が着色されて被着面側を読解不能とした構成では、被着面を隠蔽できるうえ、疑似接着面で剥離を行った直後の前記情報シートの隠蔽性を確保できる。
更に、基材シートに形成された切り込みの下方にストリートが設けられている構成によれば、当該切り込みを形成する過程において、非接着処理部による厚みの変化の影響を受けることがなく、切り込みが不要な層にまで当該切り込みが達することを防止し、基材シートを剥離するときに確実に疑似接着面で剥離できるようになる。しかも、ストリートの存在により、接着シートの接着不良を生ずるおそれも回避可能となる。
また、非接着処理部が表示機能を備えたもの、特に、それらを鏡文字で形成した場合には、基材シートの一部を剥離したときに視認可能となり、例えば、非接着処理部をロゴマークや文字情報等で構成することで、宣伝や広告等としての機能を付加することもできる。
【発明を実施するための最良の形態】
【００１５】
以下、本発明の実施の形態について図面を参照しながら説明する。
【００１６】
図１には、宅配商品等の配送伝票に本発明の接着シートＳが適用された実施形態に係る概略斜視図が示され、図２には、その分解側面図が示されている。これらの図において、接着シートＳは宅配商品等の梱包体となる被着体Ｗに貼付されて使用される。この接着シートＳは全体的に略方形の平面形状を備えており、当該接着シートＳは、基材シートＢＳと、疑似接着剤層１１と、中間基材１２と、接着剤層１３と、当該接着剤層１３に部分的に設けられた非接着処理部１４とからなる接着シート本体Ｓ１と、前記非接着処理部１４を介在して接着剤層１３と被着面Ｗ１との間に介装される情報シート１５とを備えて構成されている。
【００１７】
前記基材シートＢＳは不透明なシート材により構成されており、片面すなわち図２中上面が印字面とされる一方、他方の面が疑似接着剤層１１と接着剤層１３との積層面とされている。この基材シートＢＳは、配送情報表示部ＢＳ１と受取情報表示部ＢＳ２とからなり、受取情報表示部ＢＳ２は、基材シートＢＳ側から、疑似接着面１１Ｃを越える深さの一対の切り込みＣによって形成され、これにより、基材シートＢＳの一部となる受取情報表示部ＢＳ２が疑似接着面１１Ｃで剥離できるようになっている。配送情報表示部ＢＳ１の上面は、配送商品となる被着体Ｗの届け先等に関する印字Ｐ１が施され、受取情報表示部ＢＳ２の上面には、受領に関する種々の情報、例えば、受取人による受領印の捺印欄等の印字Ｐ２が施される。なお、受取情報表示部ＢＳ２以外の基材シートＢＳの領域内に、保証書、納品書等からなる情報シート１５が挟み込まれていることを明示する記載が施されている。
【００１８】
前記疑似接着剤層１１は、図２に示されるように上下に積層され、少なくとも下方に位置する層が透明な層により構成されており、特に限定されるものではないが、本実施形態では、ポリスチレンからなる第１フイルム層１１Ａと、当該第１フイルム層１１Ａの上面側に位置する低密度ポリエチレンからなる第２フイルム層１１Ｂとからなり、これら第１及び第２フイルム層１１Ａ、１１Ｂの界面を疑似接着面１１Ｃとして剥離可能となっている。
【００１９】
前記中間基材１２は、特に限定されるものではないが、グラシン紙により構成され、前記接着剤層１３を透過して被着面Ｗ１側が視認可能となっている。
【００２０】
前記接着剤層１３は、接着シート本体Ｓ１を被着体Ｗに貼付した状態で、疑似接着面１１Ｃでの剥離を行う際に、情報シート１５を確実に保持することのできる強さの接着剤が用いられている。
【００２１】
前記非接着処理部１４は、図２及び図３に示されるように、着色された多数のドット１４Ａからなる積層物からなり、印刷又はフイルム貼付等によって形成されている。この非接着処理部１４が接着剤層１３に部分的に設けられることで、ドット１４Ａ間に断続的若しくは部分的に表出する接着剤層１３によって接着シート本体Ｓ１が被着体Ｗに貼付される。これにより、被着体Ｗに対する接着剤層１３の全面接着を回避して部分的な接着となる。また、非接着処理部１４は、前記切り込みＣの下方に設けないことにより、当該切り込みＣに沿って一対のストリート１６が形成される。このストリート１６は、切り込みＣを形成する工程において、ドット１４Ａによって厚みの変化の影響を受け、切り込みＣが中間基材１２や接着剤層１３にまで達することを防止し、受取情報表示部ＢＳ２を剥離するときに確実に疑似接着面で剥離できるようになっている。
【００２２】
前記情報シート１５は、印字可能な基材２０と、この基材２０の上面に積層された剥離処理層２１とにより構成されている。基材２０の下面側には、商品名、金額等を含む納品書等の秘匿情報の印字Ｐ３が施されている一方、上面側には配送商品の保証書や、クーリングオフの条文等の定型的な印字Ｐ４が施されている。なお、保証書や、クーリングオフの条文等も間接的に配送物を特定することができるため、秘匿情報といえる。
【００２３】
次に本実施形態における接着シートＳの使用方法について説明する。
【００２４】
先ず、基材シートＢＳの配送情報表示部ＢＳ１に配送商品の届け先等に関する印字Ｐ１が施される一方、受取情報表示部ＢＳ２に配送商品の受け取りに関する印字Ｐ２が施される。また、情報シート１５における基材２０に、秘匿情報に関する印字Ｐ３が施される。なお、印字Ｐ４は定型文であるため、剥離処理層２１を積層する前の段階で印字されている。
【００２５】
以上の状態において、情報シート１５を接着シート本体Ｓ１と被着体Ｗとの間に挟み込み、表出した接着剤層１３を介して被着体Ｗに接着させる。これにより、接着シートＳは、非接着処理部１４を構成するドット１４Ａを除く部分とストリート１６とを介し、被着体Ｗに接着されることとなり、接着シート本体Ｓ１の剥離を行わない限り、情報シート１５を取り出すことができない状態に保たれる。
【００２６】
接着シートＳが貼付された宅配商品が受取人に配達されると、配達人は図３に示されるように、受取情報表示部ＢＳ２の受領印欄に受取人印鑑の押印Ｎを受けた後、当該受取情報表示部ＢＳ２を剥離して持ち帰ることとなる。この剥離は、前述した疑似接着面１１Ｃで行われることとなる。この際、受取情報表示部ＢＳ２を剥離することにより、被着面側が透けて見えることになるが、着色された非接着処理部１４が形成されていることにより、各ドット１４Ａ間に文字の一部が見えるだけで判読することはできず、実質的に読解不能に保たれる。従って、配達人には情報シート１５に施された印字Ｐ４を透かして見ることもできないものとなる。
【００２７】
受取人は、図４に示されるように、接着シート本体Ｓ１の端部を摘んで被着体Ｗから剥離し、その接着剤層１３側に接着された状態の情報シート１５を摘んで取り出すことができる。このとき、接着剤層１３は非接着処理部１４によって、部分的な接着となっているため、情報シート１５が破れてしまうような不都合はなくなる。なお、本実施形態の場合、情報シート１５は剥離処理層２１側が接着剤層１３側に接着されているため、よりスムーズに情報シート１５を取り出すことが可能となっている。
【００２８】
従って、このような実施形態によれば、接着シートＳの下面側に情報シート１５を挟み込んで接着シートＳを被着体Ｗに貼付することができるととともに、受取情報表示部ＢＳ２を剥離しても、非接着処理部１４の存在によって情報シート１５の隠蔽性を確実に保つことができる。
また、非接着処理部１４は、多数のドット状の印刷等を施すことによって構成されるものであるため、例えば、配送商品のメーカーを表示するロゴマークや、文字情報等を印刷することで、広告宣伝機能を担わせることができる。
【００２９】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００３０】
例えば、基材シートＢＳは、配送情報表示部ＢＳ１、受取情報表示部ＢＳ２以外の情報表示部を追加してもよい。
【００３１】
また、非接着処理部１４は、ドット１４Ａ以外に配送商品の提供企業等を特徴つけるロゴマークや、キャンペーン情報、図柄、キャラクタ等を接着剤層１３側から鏡文字で印字、印刷することもできる。
【００３２】
更に、本発明に係る接着シートＳの層数は、図示構成例に限定されるものではなく、同様の作用を奏する限り、必要に応じて増減させることができる。
【００３３】
また、接着シートＳは宅配商品の配送伝票に限らず、秘匿情報を外部に漏れることなく隠蔽する必要が要請されるその他のラベル等に適用してもよく、また、接着シートＳの平面形状等も変更することができる。
【００３４】
更に、非接着処理部１４は、印刷やフイルム貼付等以外に、紫外線等のエネルギー線を用いてその接着力を部分的になくすように構成してもよい。
【００３５】
また、切り込みＣは直線に限定されることはなく、ストリート１６も切り込みＣの形状に応じて対応させることができる。
【図面の簡単な説明】
【００３６】
【図１】本発明に係る接着シートが配送伝票に適用された実施形態を示す概略斜視図。
【図２】前記接着シートの層構造を示す分解側面図。
【図３】基材シートの一部となる受取情報表示部を剥離する状態を示す概略斜視図。
【図４】情報シートを取り出す状態を示す概略斜視図。
【符号の説明】
【００３７】
１１  疑似接着剤層
１３  接着剤層
１４  非接着処理部
１５  情報シート
１６  ストリート
ＢＳ  基材シート
ＢＳ１  配送情報表示部
ＢＳ２  受取情報表示部
Ｃ  切り込み
Ｐ１、Ｐ２、Ｐ３、Ｐ４  印字
Ｓ  接着シート
Ｗ  被着体
【図１】
0005180665.tif 000002
【図２】
0005180665.tif 000003
【図３】
0005180665.tif 000004
【図４】
0005180665.tif 000005